(57)【要約】【課題】燃焼室に燃料を供給する燃料供給部の熱劣化を防止する。【解決手段】バーナ装置７は、一次燃焼室５８および二次燃焼室６０と、一次燃焼室および二次燃焼室に燃料を供給する一次燃料供給部７０および二次燃料供給部７６と、一次燃料供給部および二次燃料供給部に燃料を導く導燃部９０と、燃焼室に設けられ、燃料に着火する着火部７２と、を備え、導燃部は、燃料が循環する循環路を形成し、循環路の一部であり、少なくとも燃焼室と燃料供給部との接続部分と、循環路を循環する燃料とで熱交換する第１熱交換部９６と、循環路の一部であり、第１熱交換部を通過した燃料の熱を外部に放熱する第２熱交換部９８と、を含んで構成される。【選択図】図２
2014047688.tif 000002
【特許請求の範囲】
【請求項１】
燃焼室と、
前記燃焼室に燃料を供給する燃料供給部と、
前記燃料供給部に前記燃料を導く導燃部と、
前記燃焼室に設けられ、前記燃料に着火する着火部と、
を備え、
前記導燃部は、前記燃料が循環する循環路を形成し、
前記循環路の一部であり、少なくとも前記燃料供給部の本体と該循環路を循環する燃料とで熱交換する第１熱交換部と、
前記循環路の一部であり、前記第１熱交換部を通過した燃料の熱を外部に放熱する第２熱交換部と、
を含んで構成されることを特徴とするバーナ装置。
【請求項２】
前記燃料供給部に供給される燃料は、前記第１熱交換部を通過した後、前記第２熱交換部を通過する前の燃料の一部であることを特徴とする請求項１に記載のバーナ装置。
【請求項３】
前記燃料供給部の熱を放熱するフィンをさらに備えることを特徴とする請求項１または２のいずれかに記載のバーナ装置。
【請求項４】
前記燃料供給部は、前記燃焼室の外壁に設けられた貫通孔から、前記燃料を該燃焼室内に供給し、
前記貫通孔の内側には、該貫通孔と前記燃料供給部との隙間をシールするシール部が配され、該シール部は、断熱材で構成されていることを特徴とする請求項１から３のいずれか１項に記載のバーナ装置。
【請求項５】
前記燃焼室の外壁には、該燃焼室の外側に向かう方向に突出する突出部が設けられ、
前記貫通孔は、前記突出部を、該突出部の突出方向に貫通しており、
前記燃料供給部のうち、前記燃料が噴出する噴出口は、前記貫通孔の内側に位置することを特徴とする請求項４に記載のバーナ装置。
【請求項６】
前記燃料供給部と、前記燃焼室から排出された前記排気ガスが流通する排気流路との間には、該排気流路から前記燃料供給部への輻射熱を遮断する遮熱部が設けられることを特徴とする請求項１から５のいずれか１項に記載のバーナ装置。
【請求項７】
前記燃焼室から排出された前記排気ガスが流通する排気流路を構成する配管が、前記燃焼室より下流側において、前記燃料供給部から離隔するように形成されていることを特徴とする請求項１から６のいずれか１項に記載のバーナ装置。
【発明の詳細な説明】
【技術分野】
【０００１】
本発明は、燃料を燃焼させるバーナ装置に関する。
【背景技術】
【０００２】
従来、エンジン等の装置の排気ガスを昇温するために燃料を燃焼させる場合がある。例えば、ディーゼルエンジンの場合、排気ガスに含まれる煤等のＰＭ（粒子状物質）を除去するパティキュレートフィルタの再生処理が必要となる。このパティキュレートフィルタ再生処理では、酸化触媒で排気ガスを昇温するが、酸化触媒を活性温度まで迅速に上昇させるため、補助的に電熱ヒータで加熱した空気を、酸化触媒より上流の排気ガス中に供給する構成が提案されている（例えば、特許文献１）。
【０００３】
また、パティキュレートフィルタの再生処理において、酸化触媒より上流の排気ガスを昇温するため、電熱ヒータではなく、燃料を燃焼するバーナ装置を設けることがある。この場合、バーナ装置の燃料供給部（例えば、噴射用ノズルなど）が、燃焼室内の加熱されたグロープラグに燃料を噴射して着火し、燃焼後ガスを酸化触媒の上流に流し込むことで排気ガスを昇温する。
【先行技術文献】
【特許文献】
【０００４】
【特許文献１】特開２００５−３２０８８０号公報
【発明の概要】
【発明が解決しようとする課題】
【０００５】
上記のように、例えば、排気ガスの昇温のためなどにバーナ装置を用いる場合、燃料供給部の温度が上昇しすぎると、燃料供給部が劣化してしまうおそれがある。また、燃料供給部の耐熱性を高めようとすると、耐熱性の高い高価な部品を用いることとなりコストが上昇してしまう。
【０００６】
本発明は、このような課題に鑑み、燃焼室に燃料を供給する燃料供給部の熱劣化を防止することが可能なバーナ装置を提供することを目的としている。
【課題を解決するための手段】
【０００７】
上記課題を解決するために、本発明のバーナ装置は、燃焼室と、燃焼室に燃料を供給する燃料供給部と、燃料供給部に燃料を導く導燃部と、燃焼室に設けられ、燃料に着火する着火部と、を備え、導燃部は、燃料が循環する循環路を形成し、循環路の一部であり、少なくとも燃料供給部の本体と循環路を循環する燃料とで熱交換する第１熱交換部と、循環路の一部であり、第１熱交換部を通過した燃料の熱を外部に放熱する第２熱交換部と、を含んで構成されることを特徴とする。
【０００８】
燃料供給部に供給される燃料は、第１熱交換部を通過した後、第２熱交換部を通過する前の燃料の一部であってもよい。
【０００９】
燃料供給部の熱を放熱するフィンをさらに備えてもよい。
【００１０】
燃料供給部は、燃焼室の外壁に設けられた貫通孔から、燃料を燃焼室内に供給し、貫通孔の内側には、貫通孔と燃料供給部との隙間をシールするシール部が配され、シール部は、断熱材で構成されていてもよい。
【００１１】
燃焼室の外壁には、燃焼室の外側に向かう方向に突出する突出部が設けられ、貫通孔は、突出部を、突出部の突出方向に貫通しており、燃料供給部のうち、燃料が噴出する噴出口は、貫通孔の内側に位置してもよい。
【００１２】
燃料供給部と、燃焼室から排出された排気ガスが流通する排気流路との間には、排気流路から燃料供給部への輻射熱を遮断する遮熱部が設けられてもよい。
【００１３】
燃焼室から排出された排気ガスが流通する排気流路を構成する配管が、燃焼室より下流側において、燃料供給部から離隔するように形成されていてもよい。
【発明の効果】
【００１４】
本発明によれば、燃焼室に燃料を供給する燃料供給部の熱劣化を防止することが可能となる。
【図面の簡単な説明】
【００１５】
【図１】ディーゼルエンジンの排気システムを説明するための説明図である。
【図２】バーナ装置の構造を説明するための説明図である。
【図３】ディーゼルエンジンのアイドル時における必要空気量を比較した説明図である。
【図４】図２の一次燃料供給部および二次燃料供給部のノズル先端近傍の部分拡大図である。
【図５】導燃部を説明するための説明図である。
【発明を実施するための形態】
【００１６】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
（排気システム）
図１は、ディーゼルエンジン１の排気システムを説明するための説明図である。図１（ａ）に示すように、ディーゼルエンジン１はレシプロエンジンであり、具体的に、ピストンによってシリンダ内の空気を圧縮して高温高圧化するとともに、燃料タンク２に蓄えられた、軽油、重油等の燃料を燃料ポンプ３や噴射ポンプ４で昇圧して、その高温高圧化された空気中に噴射することで爆発を起こさせ、その爆発によって生じるエネルギーを動力に変える。過給機５は、ディーゼルエンジン１の排気ガスのエネルギーでタービンを回転し、吸気を圧縮して吸気圧を高めることでエンジン出力を向上させる装置である。
【００１８】
排気流路６は、ディーゼルエンジン１の排気口から排出された排気ガスを外部に排出するための配管で構成され、その流路には、上流側から順に、バーナ装置７、ディーゼル酸化触媒８（ＤＯＣ：Diesel Oxidation Catalyst）、ディーゼルパティキュレートフィルタ９（ＤＰＦ：Diesel Particulate Filter）が設けられている。排気システムは、バーナ装置７、ディーゼル酸化触媒８と、ディーゼルパティキュレートフィルタ９とを含んで構成される。以下、ディーゼルパティキュレートフィルタ９、ディーゼル酸化触媒８、バーナ装置７の順に説明する。
【００１９】
（ディーゼルパティキュレートフィルタ９）
ディーゼルパティキュレートフィルタ９は、図１（ｂ）の縦断面図に示すように、セラミックや金属をハニカム構造に形成した多孔体１０ａで構成される。そして、ディーゼルパティキュレートフィルタ９は、ディーゼルエンジン１の排気ガス（図１（ｂ）中矢印で示す）に含まれる、例えば１０ミクロン以上の大きさの粒子状物質２０を捕集し、排気ガスから粒子状物質２０を分離する。このように粒子状物質２０が分離された排気ガスは外部に放出される。このとき、ディーゼルパティキュレートフィルタ９に粒子状物質２０が堆積し過ぎると多孔体１０ａが目詰まりを起こすことがある。目詰まりは排気圧の上昇を招き燃費の悪化や出力低下につながる。そこで以下のディーゼル酸化触媒８が設けられている。
【００２０】
（ディーゼル酸化触媒８）
ディーゼル酸化触媒８は、ディーゼルパティキュレートフィルタ９の上流に設けられ、例えばプラチナ、パラジウム等の触媒で構成される。そして、ディーゼルエンジン１の排気ガス中に含まれる酸素を利用し、未燃の燃料を触媒燃焼（触媒を介した酸化）させることによって排気ガスを昇温する。昇温された排気ガスは、下流のディーゼルパティキュレートフィルタ９に流れ、ディーゼルパティキュレートフィルタ９に堆積した粒子状物質２０を燃焼して二酸化炭素として排気させ、ディーゼルパティキュレートフィルタ９の目詰まりを解消する。かかる一連の処理を本実施形態ではフィルタ再生処理という。
【００２１】
このようなフィルタ再生処理は、ディーゼルパティキュレートフィルタ９の目詰まりが所定の閾値を超えたことを契機とし、その目詰まりがある程度解消されるまで、所望するタイミングで所望する時間実行されるバッチ処理である。しかし、ディーゼル酸化触媒８は、ディーゼルエンジン１の始動時や低負荷時には、排気ガスの温度が低く酸化が促進される活性温度に達していないことがあり、排気ガスを昇温できず、その下流に位置するディーゼルパティキュレートフィルタ９において、所望するタイミングでフィルタ再生処理を行うことができない場合がある。そこで、本実施形態では、以下のバーナ装置７を設けている。
【００２２】
（バーナ装置７）
図２は、バーナ装置７の構造を説明するための説明図である。本実施形態では、垂直に交わるＸ軸、Ｙ軸、Ｚ軸を図２に示す通り定義している。バーナ装置７は、気体を昇温し、ディーゼルエンジン１の排気口から排出された排気ガスに加えて、排気ガスの温度を高める。こうして、ディーゼル酸化触媒８の昇温を助勢することができる。すなわち、所望するタイミングでディーゼル酸化触媒８を活性温度に昇温してフィルタ再生処理を行うことが可能となる。
【００２３】
バーナ装置７の具体的な構成を説明すると、バーナ装置７の外壁５０は、例えば、矩形の筒状に形成され、Ｚ軸に沿った方向の下方端部が排気流路６と連通し、上方端部が閉塞されている。外壁５０の内部には、外壁５０内部をＸ軸方向に区画する第１仕切部材５２が配される。第１仕切部材５２は、例えば、矩形の板材で構成され、その外周側面のうち３つの側面が外壁５０の閉塞面およびＹ軸方向の内周面に固定され、他の１の側面が排気流路６に突出している。かかる外壁５０と第１仕切部材５２によって流入路５４が形成される。流入路５４は、排気流路６に対して開口しており、排気流路６に突出した第１仕切部材５２によって、排気流路６に流れる排気ガスの一部（例えば２０％程度）が流入路５４に流入する。
【００２４】
外壁５０内部の第１仕切部材５２で区画された空間のうち、Ｘ軸方向の下流側に位置する空間は、さらに、第２仕切部材５６によってＺ軸方向に区画される。第２仕切部材５６は、例えば、矩形の板材で構成され、外周側面が第１仕切部材５２と外壁５０の内周面とに固定されている。第２仕切部材５６で仕切られたＺ軸上方の空間は火炎を生成するための一次燃焼室５８（燃焼室）であり、Ｚ軸下方の空間は燃焼を促進させるための二次燃焼室６０（燃焼室）である。
【００２５】
気体供給部６２は、例えば、エアポンプで構成され、一次燃焼室５８に排気ガスとは別の気体、本実施形態においては空気を供給し、一次燃焼室５８内における火炎の生成を助ける。気体供給部６２は、エアポンプに限らず、ファン、コンプレッサ等で構成されてもよい。ここで、第１仕切部材５２には、流入路５４から一次燃焼室５８へ貫通する孔５２ａが設けられており、当該孔５２ａによって一次燃焼室５８に空気が導かれる。かかる孔５２ａは、空気および排気ガスの流量を制限する役割も担う。
【００２６】
ただし、一次燃焼室５８に空気のみを導入するとなると、着火のためには、ある程度、空気を昇温しなければならず、また、火炎の生成に要する空気の絶対量が増大する。そこで、本実施形態においては、上記のように排気流路６から流入路５４に排気ガスの一部を流入させ、空気との混合気（以下、単に空気混合気という。）を生成する。そして、かかる空気混合気を一次燃焼室５８に導入する。
【００２７】
図３は、ディーゼルエンジン１のアイドル時における必要空気量を比較した説明図である。図３を参照して理解できるように、排気ガスを利用せず空気のみを導入した場合と比較して、空気に排気ガスを混合すると各エンジン回転数において必要空気量が少なくて済む。
【００２８】
図２に戻って、第１仕切部材５２には、流入路５４から二次燃焼室６０へ貫通する孔５２ｂが設けられており、当該孔５２ｂによって二次燃焼室６０に排気ガスが導かれる。かかる孔５２ｂは、二次燃焼室６０に導く排気ガスの流量を制限する役割も担う。
【００２９】
さらに、第２仕切部材５６には、一次燃焼室５８から二次燃焼室６０へ貫通する孔５６ａが設けられており、当該孔５６ａによって一次燃焼室５８で燃焼された空気混合気が二次燃焼室６０に導かれる。かかる孔５６ａは、空気混合気の流量を制限する役割も担う。こうして、一次燃焼室５８および二次燃焼室６０における空気混合気の流速が抑制されるため、一次燃焼室５８においては、着火性および保炎性が向上し、二次燃焼室６０においては、火炎燃焼を開始可能な温度域および酸素濃度域を拡大できる。
【００３０】
一次燃料供給部７０（燃料供給部）は、例えばノズルを有するインジェクタ等の燃料噴射装置で構成され、一次燃焼室５８に燃料を霧状にして供給する。
【００３１】
着火部７２は、例えばグロープラグ等の着火装置で構成され、一次燃焼室５８に設けられ、燃料の着火温度以上に加熱されて、着火部７２の熱で、気化した燃料を着火する。
【００３２】
燃料保持部７２ａは、着火部７２近傍、例えば、着火部７２の一端を覆う位置に配置され、例えば、金網、焼結金属、金属繊維、ガラス布、セラミック多孔体、セラミックファイバ、軽石等の多孔体で形成され、孔５２ａから空気混合気が導かれるとともに、一次燃料供給部７０から供給された燃料が燃焼されるまで、当該燃料を一時的に保持する。ここで、燃料保持部７２ａは、多孔体として形成された触媒であってもよい。
【００３３】
邪魔板７４は、例えば矩形の板材で構成され、一端が外壁５０の閉塞面に固定され、他端側が孔５２ａに対向する位置に配される。邪魔板７４は、孔５２ａを通って一次燃焼室５８へ流入する空気混合気が、着火部７２に直接衝突する流れを防ぐ。かかる構成により、着火部７２付近の空気混合気の流速を抑制でき、着火性が向上する。
【００３４】
二次燃料供給部７６（燃料供給部）は、一次燃料供給部７０同様、例えばインジェクタ等の燃料噴射装置で構成され、二次燃焼室６０内に燃料を霧状にして供給する。二次燃焼室６０内では、一次燃焼室５８で発生した種火を増幅するために、二次燃料供給部７６によってさらに燃料が噴射され、排気ガスを巻き込みながら空気混合気の燃焼を促進する。
【００３５】
そして、昇温後の高温の空気混合気は、排気流路６に流出し、当該バーナ装置７に流入しなかった排気ガスと混ざり合うことで排気ガスの温度を高める。こうして、ディーゼル酸化触媒８を活性温度に昇温し、ディーゼルパティキュレートフィルタ９においてフィルタ再生処理を行うことが可能となる。
【００３６】
ところで、一次燃料供給部７０および二次燃料供給部７６は、温度が上昇しすぎると劣化してしまうおそれがある。また、一次燃料供給部７０および二次燃料供給部７６の耐熱性を高めようとすると、耐熱性の高い高価な部品を用いることとなりコストが上昇してしまう。そこで、本実施形態では、一次燃料供給部７０および二次燃料供給部７６の温度低減のため、様々な工夫を凝らしている。以下、その温度低減手段について、具体的に説明する。
【００３７】
図４は、図２の一次燃料供給部７０および二次燃料供給部７６のノズル先端近傍の部分拡大図である。図４に示すように、一次燃料供給部７０の本体７０ａは、外壁５０のうち一次燃焼室５８の壁面を形成する部分、すなわち、一次燃焼室５８の外壁５０の外側に配される。また、一次燃焼室５８の外壁５０には、一次燃焼室５８の外側に向かう方向に突出する突出部５８ａが設けられている。貫通孔５８ｂは、突出部５８ａを、突出部５８ａの突出方向に貫通する孔である。したがって、一次燃焼室５８の内部と外部とを連通する。そして、一次燃料供給部７０のうち、ノズル先端の燃料が噴出する噴出口７０ｂは、貫通孔５８ｂの内側に位置する。
【００３８】
また、二次燃料供給部７６の本体７６ａは、一次燃料供給部７０と同様、外壁５０のうち二次燃焼室６０の壁面を形成する部分、すなわち、二次燃焼室６０の外壁５０の外側に配される。また、二次燃焼室６０の外壁５０には、二次燃焼室６０の外側に向かう方向に突出する突出部６０ａが設けられている。貫通孔６０ｂは、突出部６０ａを、突出部６０ａの突出方向に貫通する孔である。したがって、二次燃焼室６０の内部と外部とを連通する。そして、二次燃料供給部７６のうち、ノズル先端の燃料が噴出する噴出口７６ｂは、貫通孔６０ｂの内側に位置する。
【００３９】
このように、突出部５８ａ、６０ａおよび貫通孔５８ｂ、６０ｂを設けて噴出口７０ｂ、７６ｂを配する構成により、バーナ装置７は、一次燃料供給部７０および二次燃料供給部７６のうち、火炎に最も近く高温に晒される噴出口７０ｂ、７６ｂ近傍を、火炎から離隔させ、劣化を抑制することが可能となる。
【００４０】
また、貫通孔５８ｂの内側には、一次燃料供給部７０との隙間をシール（封止）するシール部８０ａを配し、貫通孔６０ｂの内側には、二次燃料供給部７６との隙間をシールするシール部８０ｂを配している。シール部８０ａ、８０ｂは、断熱材で構成される。シール部８０ａ、８０ｂを断熱材とすることで、バーナ装置７は、外壁５０から一次燃料供給部７０、二次燃料供給部７６への伝熱量を抑え、劣化を抑制することが可能となる。
【００４１】
図２に戻って、二次燃料供給部７６と排気流路６との間には、遮熱部８２が配される。遮熱部８２は、排気流路６を構成する配管から二次燃料供給部７６への輻射熱を遮断する。
【００４２】
かかる遮熱部８２は、二次燃料供給部７６を固定支持する土台としても機能する。また、遮熱部８２は、外壁５０と一次燃料供給部７０および二次燃料供給部７６との間にまで延在し、外壁５０から一次燃料供給部７０および二次燃料供給部７６に輻射する輻射熱も遮断する。
【００４３】
また、遮熱部８２は、一次燃料供給部７０の下面（Ｚ軸方向の後方側の面）に沿って延在し、一次燃料供給部７０を固定支持する土台としても機能する。そして、一次燃料供給部７０の上面側（Ｚ軸方向の前方）において、Ｘ軸方向に屈曲している。
【００４４】
フィン８４は、遮熱部８２のうち、一次燃料供給部７０の上面側に設けられ、一次燃料供給部７０、二次燃料供給部７６の熱を主として鉛直上方に放熱する。フィン８４が形成される位置は、一次燃料供給部７０の上面側に限らず、遮熱部８２のいずれの位置であってもよいし、一次燃料供給部７０および二次燃料供給部７６に直接接触するように配されてもよい。
【００４５】
遮熱部８２およびフィン８４を配する構成により、バーナ装置７は、一次燃料供給部７０および二次燃料供給部７６の温度上昇を抑え、劣化を抑制することが可能となる。
【００４６】
また、排気流路６を構成する配管のうち、二次燃焼室６０より下流側の配管を、図２中、白抜き矢印で示すように、二次燃料供給部７６から離隔するように形成している。そのため、バーナ装置７は、排気流路６から遮熱部８２への輻射熱を抑制し、二次燃料供給部７６の温度上昇を抑え、劣化を抑制することが可能となる。
【００４７】
さらに、本実施形態においては、一次燃料供給部７０および二次燃料供給部７６に燃料を導く流路を形成する導燃部９０が、燃料が循環する循環路を形成している。
【００４８】
図５は、導燃部９０を説明するための説明図である。図５に示すように、導燃部９０は、矢印の向きに燃料が流れる流路である循環路であって、流入口９２と、送出口９４ａ、９４ｂと、第１熱交換部９６と、第２熱交換部９８とを含んで構成される。
【００４９】
流入口９２は、燃料タンク２から導かれた燃料を循環路に受け入れる入口である。流入口９２から循環路に流入した燃料は、燃料ポンプ３によって循環方向（図５中、矢印で示す）に送出され、一次燃料供給部７０に導かれる。
【００５０】
送出口９４ａは、循環路を循環する燃料の少なくとも一部を一次燃料供給部７０の内部に送出する出口である。ここでは、送出口９４ａは、一次燃料供給部７０の本体７０ａに設けられ、本体７０ａ内部に燃料を導入する導入口となっている。
【００５１】
第１熱交換部９６は、循環路の一部であり、流入口９２から送出口９４ａまでの間であって、送出口９４ａの上流側に設けられ、少なくとも一次燃料供給部７０の本体７０ａと循環路を循環する燃料とで熱交換する。かかる構成により、一次燃料供給部７０を冷却して、一次燃料供給部７０の熱劣化を防止することが可能となる。
【００５２】
ここでは、第１熱交換部９６において、一次燃料供給部７０の本体７０ａの周囲を、一次燃焼室５８側から、当該一次燃焼室５８から離隔する方向に向って燃料が流通する。そのため、より高温になり易い、一次燃料供給部７０の本体７０ａの一次燃焼室５８側を効率的に冷却することが可能となる。
【００５３】
具体的に、一次燃料供給部７０の本体７０ａと、本体７０ａを囲繞する筐体９６ａとの間には、循環路の一部を成す流路９０ａが形成されている。そして、この流路９０ａを流れる燃料によって一次燃料供給部７０の本体７０ａが冷却される。すなわち、一次燃料供給部７０の本体７０ａと、本体７０ａを囲繞する筐体９６ａが第１熱交換部９６として機能する。
【００５４】
そして、一次燃料供給部７０の本体７０ａ内部に導入されなかった燃料は、循環路の下流側に流れ、二次燃料供給部７６近傍に導かれる。
【００５５】
送出口９４ｂは、送出口９４ａと同様、循環路を循環する燃料の少なくとも一部を二次燃料供給部７６に送出する出口である。ここでは、送出口９４ｂは、二次燃料供給部７６の本体７６ａに設けられ、本体７６ａ内部に燃料を導入する導入口となっている。
【００５６】
一次燃料供給部７０側から二次燃料供給部７６側に至るまでの流路９０ｂは、上述した遮熱部８２と一体成型された部材（図２参照）に設けられた孔によって形成される。そのため、バーナ装置７は、この流路９０ｂを流れる燃料によって、遮熱部８２を冷却することが可能となる。
【００５７】
二次燃料供給部７６の本体７６ａと、本体７６ａを囲繞する筐体９６ｂとの間には、筐体９６ａと同様、循環路の一部を成す流路９０ｃが形成されている。そして、この流路９０ｃを流れる燃料によって二次燃料供給部７６の本体７６ａが冷却される。
【００５８】
第２熱交換部９８は、循環路の一部であり、送出口９４ｂから第１熱交換部９６までの間であって、第１熱交換部９６の上流側に設けられ、冷却媒体と、循環路を循環する燃料との間で熱交換を行い、第１熱交換部９６を通過した燃料の熱を外部に放熱する。
【００５９】
例えば、冷却媒体が循環する熱交換器を一次燃料供給部７０や二次燃料供給部７６の近傍に設ける場合、一次燃焼室５８や二次燃焼室６０に供給される燃料の温度低下を招き、燃料の燃焼効率が下がると共に、燃料供給部が冷却される熱量分がすべて熱損失となってしまう。本実施形態のバーナ装置７は、循環路を循環する燃料によって、一次燃料供給部７０および二次燃料供給部７６を冷却する。そして、冷却によって高温となった燃料の一部を、第２熱交換部９８が冷却する前に、一次燃料供給部７０が一次燃焼室５８に、二次燃料供給部７６が二次燃焼室６０にそれぞれ噴出する。
【００６０】
すなわち、一次燃料供給部７０に供給される燃料は、第１熱交換部９６を通過した後、第２熱交換部９８を通過する前の燃料の一部となる。そのため、バーナ装置７は、燃料の温度低下に起因する燃焼効率の低下を防ぐとともに、一次燃料供給部７０および二次燃料供給部７６を冷却した熱量の一部を、空気混合気の昇温に有効利用し、熱損失を抑制することが可能となる。
【００６１】
また、バーナ装置７は、導燃部９０が循環路となっているため、一次燃料供給部７０および二次燃料供給部７６に供給する燃料の必要量よりも、多くの燃料を循環させて一次燃料供給部７０および二次燃料供給部７６を効率的に冷却することができる。すなわち、一次燃料供給部７０および二次燃料供給部７６に供給される燃料は、循環する燃料の一部となる。
【００６２】
上述した実施形態では、バーナ装置７は、２つの燃焼室（一次燃焼室５８と二次燃焼室６０）と、２つの燃料供給部（一次燃料供給部７０と二次燃料供給部７６）を備える場合について説明したが、燃焼室および燃料供給部は１つであってもよい。
【００６３】
また、上述した実施形態では、バーナ装置７は、ディーゼルパティキュレートフィルタ９の再生処理を行うディーゼル酸化触媒８の昇温に用いる場合について説明したが、バーナ装置７は、燃料を燃焼させる構成であればその用途は限定されない。
【００６４】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【産業上の利用可能性】
【００６５】
本発明は、燃料を燃焼させるバーナ装置に利用することができる。
【符号の説明】
【００６６】
６     …排気流路
７     …バーナ装置
５８   …一次燃焼室（燃焼室）
６０   …二次燃焼室（燃焼室）
５８ａ、６０ａ  …突出部
５８ｂ、６０ｂ  …貫通孔
７０   …一次燃料供給部（燃料供給部）
７０ａ  …本体
７２   …着火部
７６   …二次燃料供給部（燃料供給部）
７６ａ  …本体
８０ａ、８０ｂ  …シール部
８２   …遮熱部
８４   …フィン
９０   …導燃部
９６   …第１熱交換部
９８   …第２熱交換部
【図１】
2014047688.tif 000003
【図２】
2014047688.tif 000004
【図３】
2014047688.tif 000005
【図４】
2014047688.tif 000006
【図５】
2014047688.tif 000007